(57)【特許請求の範囲】
【請求項１】
少なくとも、前板と、右側板と、左側板と、後板と、底板と、後板の上辺に連設された蓋板と、からなるディスプレイカートンにおいて、
前記蓋板は、後板と連設する側から、第一スリットを有する立設部と、第一横折線を介して立設部と連設された表示部と、第二横折線を介して表示部と連設された底部と、後板側に凸状の切込みを有する第三横折線を介して底部と連設された差込部と、からなり、
前記後板は、第二スリットを有しており、
前記第一横折線と第二横折線を山折りし、第三横折線を谷折りし、前記第一スリットに凸状の切込を下側から差込み、前記第二スリットに差込部を上側から差込んでなることを特徴とするディスプレイカートン。
【請求項２】
前記第一横折線は、後板側に凸状の切込みを有していることを特徴とする請求項１項記載のディスプレイカートン。
【請求項３】
前記右側板および左側板の各々対向する位置に、コの字型の押込み部が配置されていることを特徴とする請求項１または２項記載のディスプレイカートン。
【請求項４】
前記前板の下部と、前記前板の下部と連結し右側板と左側板の各々対向する位置に、傾斜をつけた切込み線を設けたことを特徴とする請求項１から３のいずれか１項記載のディスプレイカートン。
【発明の詳細な説明】
【技術分野】
【０００１】
本発明は、スナック菓子、スープ粉末、他の食品類および雑貨類などの個装した商品を収納した化粧カートンで、かつ店頭陳列にて販促効果の大きいディスプレイカートンに関するものである。
【背景技術】
【０００２】
従来、スーパーやコンビニエンスストアなどでは、スナック菓子、スープ粉末、他の食品など、個装した商品を販売する場合、メーカーの工場から送られてきたダンボール箱を開封して、そのまま化粧箱の蓋を開けて陳列するか、又は個装商品を別な容器に移し替えて店頭に陳列するようにしている。
【０００３】
工場から送られてきたダンボール箱を開封して、そのまま化粧カートンの蓋を開けて陳列するだけなので、販売促進効果としては、消費者に訴えることに乏しく、効果を上げることができない。また、別な容器に移し替えるやり方では、容器によっては、それなりに効果が上がるが、店頭での容器の準備や移し替える手間など余分な作業を要する。
【０００４】
個装した商品を入れた化粧カートンに、ディスプレイ効果を持たせ、販促効果を高めようとしたディスプレイカートンが提案されている。特許文献１によれば、カートンの前板下部から左右側板部の上辺にかけて切込み線を設けたカートンで、蓋を開けて、蓋を折り返し、切込み線の部分を切り取り、収納された個装商品を見せ、かつ折返した蓋部を表示部にし販売促進効果をもたせている。
【０００５】
特許文献２によれば、化粧カートンの蓋部に凸状の切込み口を設けて、カートンの後板部の上部に表示部と凸状表示部を設け、表示部を多くし販売促進効果を上げる提案もされている。
【０００６】
しかし、上記の提案では、表示部は、正面から見やすいが、上から見ると見難い欠点がある。よって店頭での陳列は、消費者の見やすい場所に限定されてしまう。
【０００７】
陳列の場所に限定されないで、販売促進に繋げることができるディスプレイカートンが要求されている。
【先行技術文献】
【特許文献】
【０００８】
【特許文献１】実開昭６２−２５６２０号公報
【特許文献２】実開平０４−５３６１６号公報
【発明の概要】
【発明が解決しようとする課題】
【０００９】
個装された商品を収納する化粧カートンに用いられ、スーパーなどの店頭陳列時に、別な容器に移し替えず、陳列場所に限定されない、販売促進効果の大きいディスプレイカートンを提供ことである。
【課題を解決するための手段】
【００１０】
上記の課題を解決するために、発明者らは鋭意検討を行い、本発明を完成した。
【００１１】
請求項１に記載の発明は、少なくとも、前板と、右側板と、左側板と、後板と、底板と
、後板の上辺に連設された蓋板と、からなるディスプレイカートンにおいて、
前記蓋板は、後板と連設する側から、第一スリットを有する立設部と、第一横折線を介して立設部と連設された表示部と、第二横折線を介して表示部と連設された底部と、後板側に凸状の切込みを有する第三横折線を介して底部と連設された差込部と、からなり、
前記後板は、第二スリットを有しており、
前記第一横折線と第二横折線を山折りし、第三横折線を谷折りし、前記第一スリットに凸状の切込を下側から差込み、前記第二スリットに差込部を上側から差込んでなることを特徴とするディスプレイカートンである。
【００１２】
請求項２に記載の発明は、前記第一横折線は、後板側に凸状の切込みを有していることを特徴とする請求項１項記載のディスプレイカートンである。
【００１３】
請求項３に記載の発明は、前記右側板および左側板の各々対向する位置に、コの字型の押込み部が配置されていることを特徴とする請求項１または２項記載のディスプレイカートンである。
【００１４】
請求項４に記載の発明は、前記前板の下部と、前記前板の下部と連結し右側板と左側板の各々対向する位置に、傾斜をつけた切込み線を設けたことを特徴とする請求項１から３のいずれか１項記載のディスプレイカートンである。
【発明の効果】
【００１５】
本発明は、１枚のブランクシートからなり、サック貼りにてカートンブランクとなる。これを胴体部、底部、蓋部を立体的に組み立てることにより、陳列棚の下部に置かれても表示部が見やすいディスプレイカートンができる。販売促進効果を一層あげることができる。また左右側板にコの字状の押込み部を設けてサイドストッパーを作り、商品の乱雑を防ぎ、消費者に見やすくしたものである。更に前板の下部から左右側板上辺に傾斜をつけて切込み線を設け、その切込み線を切ることにより、商品を見やすくかつ手に取りやすくしたものである。
【図面の簡単な説明】
【００１６】
【図１】本発明のディスプレイカートンの一例を示す展開図である。
【図２】図１に示した展開図の組み立て後の容器の蓋を開けた状態の一例を示す斜視図である。
【図３】図２に示した容器の切込み線を切った除去部分の説明図である。
【図４】本発明のディスプレイカートンの一例を示す斜視図である。
【図５】本発明のディスプレイカートンに商品を収納した状態の一例を示す斜視図である。
【図６】本発明のディスプレイカートンの後板側から見た斜視図である。
【発明を実施するための形態】
【００１７】
以下本発明を実施するための最良の形態につき説明する。
【００１８】
図１は、本発明のディスプレイカートンの一例を示す展開図である。
【００１９】
少なくとも、前板２と、右側板３と、左側板４と、後板５と、底板６と、後板の上辺に連設された蓋板７とからなるディスプレイカートンである。蓋板７は、後板５と折線２４を介して連設する側から、第一スリットＢを有する立設部８と、第一横折線２５を介して立設部８と連設された表示部９と、第二横折線２６を介して表示部と連設された底部１０と、後板側に凸状の切込みＥを有する第三横折線２７を介して底部１０と連設された差込部１１とからなっている。後板５は、第二スリットＡを有しており、
第一横折線２５と第二横折線２６を山折りし、第三横折線２７を谷折りにし、第一スリットＢに凸状の切込Ｅを下側から差込み、第二スリットＡに差込部１１を上側から差込んで組み立てる。
【００２０】
左右側板面に対向してコの字状の押込み部を設け、押込み部を垂直に内側に押込むことにより、サイドストッパーとなり、商品を整理された状態に保つことができる。左右側板にそれぞれ最低でも２箇所を設けるとよい。
【００２１】
また、前板の下部と、前板の下部と連結し、左右側板の各々対向する位置に、傾斜をつけた切込み線を設けている。店頭で陳列される時に、前板及ぶ左右側板の切込み線を切り取ることにより、商品が見やすく、手に取りやすくするためである。
【００２２】
図１のブランクシートの後板の内面右側部分に糊付けし、貼着フラップ１８と貼合する。
また底板６を形成するフラップ（１２，１３，１４，１５）にも部分的に糊付けし、フラップ同士を貼着し、底板を形成してカートンブランクを作成する。
【００２３】
カートンブランクを組み立て、蓋部７を閉めれば、箱形状を示す。個装された商品を収納し輸送する化粧カートンとして用いられる。
【００２４】
図２は、組み立てたカートンの蓋板を開け、第一横折線２５と第二横折線２６を山折りし、第三横折線２７を谷折りにし、第一スリットＢに凸状の切込みＥを下側から差込み、第二スリットＡに差込部１１を上側から差込んで組み立てる。この時の山折りとは、折線を介して山形状になるように折る。また谷折りとは、折線を介して折線を谷にした形状で折ることである。
【００２５】
図４のようになり、立設部８と表示部９と底部１０とで立体のほぼ直角三角形ができる。表示部が斜面になるため、天を向いた状態になる。これにより、陳列棚の下方部に陳列されても、消費者は表示部を見やすくなり、商品が判別できる。
【００２６】
また第一横折線に、後板側の立設部８に凸状の切込みＣを有したことにより、凸状の切込み部も表示部Ｃ´となり、表示部９に加え表示面積が広がり販売促進効果がより大きくなる。また第二横折線に有した凸状の切込み部Ｄも設けることにより、更に表示部Ｄ´設けることにより、更に効果をあげることができる。
【００２７】
図３は、前板と、前板下部の切込み線と連結した左右側板の傾斜切込み線に囲まれた部分を切り取り、除去する部分を示している。除去することにより、図４に示すように商品が見やすく、手に取りやすくなる。
【００２８】
本発明のカートンは、板紙材料からなり、コートボールなどの板紙が用いられる。また段ボールなども使用できる。カートンに印刷する方法としては、通常用いられるグラビア印刷、オフセット印刷、フレキソ印刷、インクジェット印刷などが可能である。
【００２９】
印刷された板紙のブランクシートをサック貼加工し、カートンブランクを作成する。その後、個装された商品を収納し、スーパー、コンビニエンスストア、お店に輸送され、店頭に陳列され販売される。本発明のディスプレイカートンは、輸送時には、化粧カートンであり、陳列時には、陳列場所に限定されないディスプレイカートンである。
【００３０】
更に詳細に説明する。
【００３１】
図１は、本発明のディスプレイカートンの一例を示す展開図である。前板２と折線２０、２１を介して右側板３、左側板４が連設されている。左側板４と折線２２を介して、後板５が連設され、後板の上辺には折線２４を介して蓋板７が連設されている。また前板２、右側板３、左側板４、後板５の下辺には、折線２３を介して底板を構成するためのフラップ１３、１２、１４、１５がそれぞれ連設されている。
【００３２】
また右側板３の上辺に、折線３０を介してフラップ１６と左辺に折線２９を介して貼着フラップ１８がそれぞれ連設され、左側板４の上辺に、折線３１を介してフラップ１７が連設されている。
【００３３】
後板５の内面右端部分に糊を付け、貼着フラップ１８と貼合し、かつ底板を形成するフラップ１３，１２、１４、１５に部分的に糊を付け貼合し、組み立てればカートンができる。個装された商品を収納し、ラップを掛け、輸送カートンとして使用する。
【００３４】
本発明は、このカートンをそのままディスプレイカートンとして使用できる。蓋板を開けて、商品が見える状態にする。
【００３５】
蓋板７には、後板と連設する側から立接部８が連設し、立接部８の上辺には、第一横折線２５を介して表示部９が連設されている。
【００３６】
また表示部９の上辺には、第二横折線２６を介して底部１０が連設され、底部１０の上辺には、第三横折線を介して差込部が連設されている。
【００３７】
蓋部７の立接部８には、第一スリットＢと第一横折線に後板方向に凸状切込みＣを有している。この凸状切込みＣにより切込まれた部分は表示部Ｃ´になる。この切込まれた形状は、便宜決めればよく、特にこだわらない。
【００３８】
第三横折線には、表示部方向に凸状切込みＥを有している。この凸状切込みＥにより切込まれた部分Ｅ´を第一スリットＢに下側から差込む。この場合、第一横折線、第二横折線を山折りし、第三横折線を谷折りする。立設部８と表示部９と底部１０とで立体のほぼ直角三角形ができる。表示部９および表示部Ｃ´が斜面になる、即ち天を向くような状態になる。
【００３９】
差込部１１は、折線２８の両端に係止切込み３９，４０を有する差込みフラップ１１´を有し、この差込みフラップ１１´は、輸送カートンとして、蓋を閉じるために使用する。また、ディスプレイカートンとしては、上記のように第三横折線を谷折りした後、差込み部１１（１１´）を後板に有した第ニスリットＡに上方から差込む。
【００４０】
また第二横折線に差込み部方向に凸状切込みＤを有している。この凸状切込みＤにより切込まれた部分は表示部Ｄ´になる。この切込まれた形状は、便宜決めればよく、特にこだわらない。
【００４１】
以上のように組み立てることにより、安定した従来にないディスプレイカートンができる。
【００４２】
更に商品を見えやすく、かつ手に取りやすくする為に、以下の構造も加えた。
【００４３】
前板には、切込み線３２、３３を有し、また切込み線３２、３３を結ぶ切込み３８を有している。
【００４４】
右側板３には、前板の切込み線３３と連結した切込み線３４を有し、この切込み線３４は、右側板上辺にある折線３０のほぼ中央で連結するようにする。その連結したところから折線２９と交わるところまでミシン目３６を入れて破断できるようにする。
【００４５】
また左側板４には、前板の切込み線３３と連結した切込み線３５を有し、この切込み線３５は、左側板上辺にある折線３１のほぼ中央で連結するようにする。その連結したところから折線２２と交わるところまでミシン目３７を入れて破断できるようにする。
【００４６】
図３のように、切込み線を切った除去部分を取り除くことより、図４に示すように商品を見やすく、取りやすくすることができる。
【００４７】
また、図４に示すように、更に右側板と左側板に、収納された商品が倒れるのを防止するサイドストッパーなる役目をする押込み部Ｆ，Ｇ，Ｈ，Ｉを設けている。コの字状に切込み線を入れている。この押込み部をカートン内部に折り曲げ、押込んでサイドストッパーを作成する。商品を整理された状態で保つことができる。
【００４８】
図５は、本発明のディスプレイカートンに商品を収納した状態の一例を示す斜視図である。サイドストッパーなる役目をする押込み部を設けたことにより、収納された商品が倒れるのを防ぎ、整理された状態で保つことができる。
【００４９】
図６は、本発明のディスプレイカートンの後板側から見た斜視図である。商品を見やすく、取りやすくしたディスプレイカートンである。
【００５０】
陳列棚の下部に置かれても表示部が見え、販売促進効果を一層上げることができる。またコの字状の押込み部を側板部に設けることにより、商品を整理された状態で保つことができ、消費者に見やすく、手に取りやすくしたディスプレイカートンである。
【符号の説明】
【００５１】
１    ブランクシート
２    前板
３    右側板
４    左側板
５    後板
６    底板
７    蓋板
８    立設部
９    表示部
１０  底部  
１１  差込部
１１´  差込フラップ
１２、１３、１４、１５  底部形成フラップ
１８  貼着フラップ  
２０、２１、２２、２３、２４、２９、３０、３１、４１、４２  折線
２５    第一横折線
２６    第二横折線
２７    第三横折線
Ａ      第二スリット
Ｂ      第一スリット
Ｃ      凸状切込み
Ｃ´    表示部
Ｄ      凸状切込み
Ｄ´    表示部
Ｅ      凸状切込み
Ｅ´    切込み部
Ｆ、Ｇ、Ｈ、Ｉ  コの字状の押込み部
３２、３３、３４、３５  切込み線
３６、３７  ミシン線
３８、３９、４０  切込み
Ｊ      商品
【図１】
0005477581.tif 000002
【図２】
0005477581.tif 000003
【図３】
0005477581.tif 000004
【図４】
0005477581.tif 000005
【図５】
0005477581.tif 000006
【図６】
0005477581.tif 000007